(57)【要約】【課題】  治療器本体の設定を確認する際の使い勝手を向上させる。【解決手段】  治療器本体２の設定を切り替えるコントローラ３は、使用者が操作部２２を操作したときに、その操作に応じた治療器本体２の設定を表示部２９に表示すると共にスピーカ３０を通じて使用者に音声にて告知する。【選択図】  図５
0003106741.tif 000002
【実用新案登録請求の範囲】
【請求項１】
電源からの電力の供給によって発熱する発熱体及びこの発熱体の発熱を感知する感熱体と、電源からの電力の供給によって電位を発生させる導電体とがマット内に配設された治療器本体と、
上記治療器本体の設定を切り替える操作部と、上記発熱体に供給される電力を調整するサイリスタと、上記感熱体が感知する上記発熱体の発熱温度に基づいて上記発熱体の温度調整を行う温度調整回路と、上記治療器本体の設定に応じた電力を高抵抗を介して上記導電体に供給する高電圧発生回路と、上記治療器本体の設定を表示する表示部と、上記治療器本体の設定を通知するスピーカとを有するコントローラとを備え、
上記操作部を操作した際に、上記表示部は、その操作に応じた治療器本体の設定を表示すると共に、上記スピーカは、その操作に応じた治療器本体の設定を音声にて告知することを特徴とする温熱電位治療器。
【請求項２】
上記操作部は、上記治療器本体の設定を確認する確認スイッチを有し、
上記確認スイッチを押圧操作した際に、上記スピーカは、上記治療器本体の設定を音声にて告知することを特徴とする請求項１記載の温熱電位治療器。
【考案の詳細な説明】
【技術分野】
【０００１】
本考案は、温熱治療機能と電位治療機能とを備える温熱電位治療器に関する。
【背景技術】
【０００２】
一般家庭で使用される電気治療器として、温熱治療機能と電位治療機能とを備えた温熱電位治療器がある。具体的に、この温熱電位治療器は、治療器本体となるマットの中に、電力の供給によって発熱する発熱体と、電力の供給によってマイナス電位を発生させる導電布とを積層した状態で配設した構造を有している。そして、この温熱電位治療器は、マット内の発熱体が発熱することで、このマット上に寝た使用者を温熱する温熱治療を行う。この温熱治療は、身体の血行を促進し、新陳代謝を活発にする、いわゆる温熱効果によって、例えば、疲労を回復する、筋肉のこりや疲れをほぐす、神経痛や筋肉の痛みを和らげる、胃腸の働きを活発にするといった効果が期待できる。一方、この温熱電位治療器は、マット内の導電布にマイナス電位（イオン）が発生することで、このマット上に寝た使用者にマイナス電位を印加する電位治療を行う。この電位治療は、酸性化した身体をアルカリ性化し、体質改善を促す、いわゆる電位効果によって、例えば、肩こり、頭痛、慢性便秘、不眠症といった疾患を改善する効果が期待できる。
【０００３】
また、この温熱電位治療器は、治療器本体の設定を使用者の操作によって切り替えるコントローラを備えており、このコントローラには、使用者の操作によって切り替わる治療器本体の設定を表示する表示部が設けられている。
【０００４】
しかしながら、このような従来の温熱電位治療器では、治療器本体の設定に応じて表示部の表示を切り替えるものの、使用者が治療を行った状態のまま、すなわち使用者がマット上に寝た状態のままコントローラを操作した場合には、表示部を見て治療器本体の設定を確認することは非常に困難である。特に、高齢者や目が不自由といった使用者にとって、表示部を見て治療器本体の設定を確認する作業は非常に面倒であり、不可能な場合もある。
【考案の開示】
【考案が解決しようとする課題】
【０００５】
そこで、本考案は、このような従来の事情に鑑みて提案されたものであり、治療器本体の設定を確認する際の使い勝手を大幅に向上させた温熱電位治療器を提供することを目的とする。
【課題を解決するための手段】
【０００６】
この目的を達成するために、本考案に係る温熱電位治療器は、電源からの電力の供給によって発熱する発熱体及びこの発熱体の発熱を感知する感熱体と、電源からの電力の供給によって電位を発生させる導電体とがマット内に配設された治療器本体と、治療器本体の設定を切り替える操作部と、発熱体に供給される電力を調整するサイリスタと、感熱体が感知する発熱体の発熱温度に基づいて発熱体の温度調整を行う温度調整回路と、治療器本体の設定に応じた電力を高抵抗を介して上記導電体に供給する高電圧発生回路と、治療器本体の設定を表示する表示部と、治療器本体の設定を通知するスピーカとを有するコントローラとを備え、操作部を操作した際に、表示部は、その操作に応じた治療器本体の設定を表示すると共に、スピーカは、その操作に応じた治療器本体の設定を音声にて告知することを特徴としている。
【０００７】
また、操作部は、治療器本体の設定を確認する確認スイッチを有する構成としてもよい。そして、この確認スイッチを押圧操作した際には、スピーカが治療器本体の設定を音声にて告知する。
【考案の効果】
【０００８】
以上のように、本考案に係る温熱電位治療器では、コントローラの操作部を操作することで切り替わる治療器本体の設定を表示部に表示すると共にスピーカを通じて使用者に音声にて告知することから、コントローラの表示部を見ることなく、治療器本体の設定をスピーカが発する音声によって容易に確認することが可能である。
【０００９】
また、本考案に係る温熱電位治療器では、コントローラの確認スイッチを押圧操作することによって、治療器本体の設定をスピーカを通じて使用者に音声にて告知することも可能である。この場合も、コントローラの表示部を見ることなく、治療器本体の設定をスピーカが発する音声によって容易に確認することが可能である。
【考案を実施するための最良の形態】
【００１０】
以下、本考案を適用した温熱電位治療器について、図面を参照しながら詳細に説明する。
【００１１】
図１に示す本考案を適用した温熱電位治療器１は、温熱治療機能と電位治療機能とを備えた家庭用の組合せ電気治療器であり、この温熱電位治療器１は、使用者に対して温熱治療及び電位治療を行う治療器本体２と、この治療器本体２の設定を切り替えるコントローラ３とを備えている。
【００１２】
治療器本体２は、図２示すように、略矩形状に形成されたマット４の内部に、電源からの電力の供給によって発熱する線状又は面状の発熱体ユニット５と、電源からの電力の供給によってマイナス電位を発生させる導電布６とが積層された状態で配設された構造を有している。具体的に、この治療器本体２は、図３に示すように、裏側クッション材７と、発熱体ユニット５と、導電布６と、表側クッション材８とを順次重ね合わせ、これらを一体的にマットカバー９で被覆した構造を有している。
【００１３】
このうち、発熱体ユニット５は、マット４上に寝た使用者に対して温熱治療を行うためのものであり、例えば電磁波を遮蔽するヒータ線を使用している。また、この発熱体ユニット５は、左右独立となっており、それぞれマット４の左右を切り替えて温熱することも可能である。導電布６は、電源からの電力の供給によってマイナス電位を発生させ、マット４上に寝た使用者にマイナス電位を印加する電位治療を行うものであり、例えばカーボン樹脂をポリエステルでラミネートしたものを使用している。裏側クッション材７は、例えば羊毛や、化繊綿、発砲ウレタン樹脂等からなるクッション材７ａ，７ｂ，７ｃを重ね合わせた３層構造を有している。表側クッション材８は、例えば羊毛や、化繊綿、発砲ウレタン樹脂等からなるクッション材８ａ，８ｂを重ね合わせた２層構造を有している。マットカバー９は、例えば綿や、化繊敷布等からなる裏側外皮と表側外皮との間で、積層した裏側クッション材７、発熱体ユニット５、導電布６及び表側クッション材８を挟み込み、その周囲を縫着した構造を有している。
【００１４】
なお、発熱体ユニット５は、面状のものとした場合、導電布６と一体となるものであってもよい。また、導電布６は、布状のものに限らず、線状の導電線であってもよい。
【００１５】
また、マット４の一側面には、図２に示すように、この治療器本体２の発熱体ユニット５及び導電布６とコントローラ３とを電気的に接続するための接続端子１０が外部に臨んで設けられている。
【００１６】
なお、治療器本体２は、このような構造に必ずしも限定されるものではなく、その積層構造や材質等を任意に変更することが可能である。また、治療器本体２は、上述したマット４のような形態に限らず、例えば布団や毛布、パットといった形態にすることも可能である。また、上記治療器本体２は、ダブルサイズのため、マット４の左右を切り替えて温熱する構造となっているが、シングルサイズの場合には、マット４の全面又は下面を切り替えて温熱することも可能である。
【００１７】
これに対して、コントローラ３は、図１及び図４に示すように、コントローラ本体３ａを備え、このコントローラ本体３ａからは、コントローラ３と外部電源（商用電源）とを電気的に接続する電源コード１１と、コントローラ３と治療器本体２とを電気的に接続する接続コード１２とがそれぞれ延長して設けられている。また、電源コード１１の先端部には、外部電源に接続するプラグ１１ａが設けられており、接続コード１２の先端部には、上述した治療器本体２の接続端子１０に接続するコネクタ１２ａが設けられている。また、コントローラ本体３ａの一側面には、コントローラ３の電源のオン／オフを切り替える電源スイッチ１３が外部に臨んで設けられている。
【００１８】
したがって、この温熱電位治療器１は、コントローラ３を介して治療器本体２の発熱体ユニット５及び導電布６に電力が供給されると共に、このコントローラ３を操作することで治療器本体２の設定を切り替えることが可能となっている。
【００１９】
ここで、治療器本体２の設定に応じた各部の制御を行うコントローラ３の回路構成について説明すると、このコントローラ３は、図５に示すように、プラグ１１ａを介して外部電源（ＡＣ１００Ｖ、５０／６０Ｈｚ）から供給される交流電圧を直流電圧に変換する電源回路１４と、プラグ１１ａを介して外部電源から供給される電力を調整するサイリスタ１５と、発熱体ユニット５の温度調整を行う温度調整回路１６と、導電布６にマイナス電位を発生させる高電圧発生回路１７と、これら各部の制御を行う制御回路１８とを有している。
【００２０】
電源回路１４は、プラグ１１ａを介して外部電源から供給された電力を交流から直流に変換し、所定の電圧値に変換した後に制御回路１８に供給する。また、この電源回路１４から供給される電力は、制御回路１８の制御によって各部へと供給される。
【００２１】
サイリスタ１５は、温度調節回路１６の制御のもと、発熱体ユニット５を構成する発熱体１９に供給される電力を調整する。
【００２２】
温度調整回路１６は、発熱体ユニット５を構成する感熱体２０が感知する発熱体１９の発熱温度と、治療器本体２の設定温度とを比較しながら、サイリスタ１５を制御し、発熱体ユニット５の温度調整を行う。
【００２３】
高電圧発生回路１７は、高抵抗２１を介して導電布６に、例えば実効値−７５０Ｖ及び−５００Ｖのマイナス電位を印加する。この高抵抗２１は、高電圧発生回路１７と導電布６との間に直列に挿入されることで電流を遮断する。
【００２４】
制御回路１８は、作動時間を制御するタイマー回路を内蔵するマイコンＩＣからなる。そして、この制御回路１８は、使用者がコントローラ３に設けられた操作部２２を操作し、その操作に応じた信号が入力されると、内部の制御プログラムに従って、治療器本体２の各部の設定を切り替える切替制御を行う。
【００２５】
具体的に、図４に示すコントローラ本体３ａには、操作部２２として、温熱治療時の設定を切り替える温熱スイッチ２３と、電位治療時の設定を切り替える電位スイッチ２４と、温熱治療と電位治療とを交互に行う交互治療に切り替える交互スイッチ２５と、治療器本体２の現在の設定を確認する確認スイッチ２６と、温熱治療時の温度調節を行う右側及び左側の温度調節スイッチ２７ａ，２７ｂと、治療時間を設定するタイマースイッチ２８とが設けられている。
【００２６】
このうち、温熱スイッチ２３は、押圧操作する毎に、「全面」−「左面」−「右面」−「切」の順で設定を切り替える。なお、温熱治療の初期状態では、「全面」に設定されている。電位スイッチ２４は、押圧操作する毎に、「弱（−３００Ｖ）」−「強（−６００Ｖ）」−「切」の順で設定を切り替える。なお、電位治療の初期状態では、「強」に設定されている。交互スイッチ２５は、押圧操作する毎に、「交互」−「切」の順で設定を切り替える。なお、交互治療の初期状態では、温熱治療が「全面」、電位治療が「強」に設定されている。確認スイッチ２６は、押圧操作することによって、後述するスピーカ３０を通じて治療器本体２の現在の設定を使用者に音声にて告知する。温度調節スイッチ２７ａ，２７ｂは、押圧操作する毎に、弱（２７℃），１（３３℃），２（３７℃），３（４０℃），４（４３℃），５（４７℃），強（５２℃）の順で設定を切り替える。タイマースイッチ２８は、押圧操作する毎に、温熱治療については、１時間，４時間，１２時間の順で設定を切り替え、電位治療については、１時間，４時間，８時間の順で設定を切り替える。
【００２７】
また、コントローラ３は、図４及び図５に示すように、治療器本体２の設定を表示する表示部２９と、治療器本体２の設定を通知するスピーカ３０とを有し、これら表示部２９及びスピーカ３０は、制御回路１８の制御のもと、操作部２２の操作に応じた表示切替及び音声通知を行う。
【００２８】
具体的に、図４に示すコントローラ本体３ａには、表示部２９として、温熱治療時に点灯する温熱表示ランプ３１と、電位治療時に点灯する電位表示ランプ３２と、交互治療時に点灯する交互表示ランプ３３と、右側及び左側の設定温度を表示する温度調節表示ランプ３４ａ，３４ｂと、作動の設定時間を表示するタイマー表示ランプ３５とが設けられている。
【００２９】
このうち、温熱表示ランプ３１は、「左面」及び「右面」に対応したＬＥＤ(Light Emitting Diode)を有しており、上述した温熱スイッチ２３を押圧操作する毎に切り替わる治療器本体２の設定に応じたＬＥＤの点灯／消灯を行う。電位表示ランプ３２は、「弱」及び「強」に対応したＬＥＤを有しており、上述した電位スイッチ２４を押圧操作する毎に切り替わる治療器本体２の設定に応じたＬＥＤの点灯／消灯を行う。交互表示ランプ３３は、ＬＥＤからなり、上述した交互スイッチ２５を押圧操作する毎に切り替わる治療器本体２の設定に応じたＬＥＤの点灯／消灯を行う。温度調節表示ランプ３４ａ，３４ｂは、左右それぞれの弱，１，２，３，４，５，強の７つの目盛りに対応したＬＥＤを有しており、上述した温度調節スイッチ２７ａ，２７ｂを押圧操作する毎に切り替わる温度設定に応じたＬＥＤの点灯／消灯を行う。タイマー表示ランプ３５は、１時間，４時間，１２時間（８時間）の３つの目盛りに対応したＬＥＤを有しており、上述したタイマースイッチ２８を押圧操作する毎に切り替わる時間設定に応じたＬＥＤの点灯／消灯を行う。
【００３０】
スピーカ３０は、図４に示すように、コントローラ本体３ａの内部に設けられており、制御回路１８内の音声表示プログラムに従って、操作部２２を操作することで切り替わる治療器本体２の設定を使用者に音声にて通知する。
【００３１】
なお、スピーカ３０は、温熱スイッチ２３を押圧操作する毎に、使用者に対して、「温熱治療○面です。」、「温熱治療を解除します。」といった告知を行う。また、スピーカ３０は、電位スイッチ２４を押圧操作する毎に、使用者に対して、「○の電位治療です。」、「電位治療を解除します。」といった告知を行う。また、スピーカ３０は、交互スイッチ２５を押圧操作をする毎に、使用者に対して、「温熱・電位の交互治療です。」、「温熱・電位の交互治療を解除します。」といった告知を行う。また、スピーカ３０は、確認スイッチ２６を押圧操作する毎に、使用者に対して、「現在の設定は、○○です。」といった告知を行う。また、スピーカ３０は、温度調節スイッチ２７ａ，２７ｂを押圧操作する毎に、使用者に対して、「○に設定されました。」といった告知を行う。また、スピーカ３０は、タイマースイッチ２８を押圧操作する毎に、使用者に対して、「○時間に設定されました。」といった告知を行う。
【００３２】
また、このコントローラ３は、図５に示すように、安全装置として、故障及び誤使用により温度制御ができない場合に電流を遮断する温度ヒューズ３６と、回路に大電流が流れる場合に電流を遮断する電流ヒューズ３７とが設けられている。
【００３３】
なお、コントローラ３は、図示を省略するが、コントローラ本体３ａに設けられたコンセントに部分加温シートを接続することで、例えば膝や、肘、腰等の部分的な加温を行うことも可能である。なお、コントローラ３は、安全性のため１００Ｗ以上のものを接続した場合に電流ヒューズ３７が働くように設定されている。
【００３４】
以上のように構成される温熱電位治療器１では、コントローラ３の操作部２２が操作されて、その操作に応じた信号が制御回路１８に入力されると、この制御回路１８の制御により治療器本体２の設定を切り替える。
【００３５】
具体的に、上述した温熱治療を行う温熱治療モードでは、コントローラ３の電源スイッチ１３を入れた後に、温熱スイッチ２３を押圧操作することによって、先ず、電源回路１４から制御回路１８に電流が流れ、この制御回路１８内のタイマー回路及び温度調節回路１６が作動する。また、サイリスタ１５により調整された電力が発熱体１９に供給されることによって、この発熱体１９が発熱する。このとき、温度調整回路１６は、感熱体２０が感知する発熱体１９の発熱温度と、温度調整スイッチ２７ａ，２７ｂによって設定された治療器本体２の設定温度とを比較しながら、サイリスタ１５を制御する。これにより、治療器本体２の設定温度を一定に保ちつつ、マット４上に寝た使用者に対して温熱治療を行うことができる。また、温熱スイッチ２３を押圧操作することで、マット４の温熱部分を全面、左面又は右面に切り替えることができる。
【００３６】
一方、上述した電位治療を行う電位治療モードでは、コントローラ３の電源スイッチ１３を入れた後に、電位スイッチ２４を押圧操作することによって、先ず、電源回路１４から制御回路１８に電流が流れ、この制御回路１８内のタイマー回路及び高電圧発生回路１７が作動する。そして、この高電圧発生回路１７は、治療器本体の設定に応じた電力を高抵抗２１を介して導電布６に供給しながら、この導電布６にマイナス電位（イオン）を発生させる。これにより、マット４上に寝た使用者にマイナス電位を印加する電位治療を行うことができる。また、電位スイッチ２４を押圧操作することで、導電布６に発生するマイナス電位の強弱を切り替えることができる。
【００３７】
なお、コントローラ本体３ａの一側面には、図４に示すように、イオンチェックパネル３８が設けられており、電位発生時にマット４上の使用者がイオンチェックパネル３８に触れると、スピーカ３０が発する音声にてマット４に電位が発生していることを確認することができる。
【００３８】
また、上述した温熱治療と電位治療とを交互に行う交互治療モードでは、コントローラ３の電源スイッチ１３を入れた後に、交互スイッチ２５を押圧操作することによって、電源回路１４から制御回路１８に電流が流れ、この制御回路１８内のタイマー回路が作動する。その後、制御回路１８内の制御プログラムに従いながら、マット４上の使用者に対して、上述した温熱治療と電位治療とを交互に行う。なお、交互治療の開始時には、温熱治療を３５分間行い、電位治療を５分間行う。その後、温熱治療を１５分間、電位治療を５分間のサイクルで交互に行う。
【００３９】
ところで、この温熱電位治療器１では、使用者によって操作部２２が操作されて、その操作に応じた信号が制御回路１８に入力されると、この制御回路１８の制御により治療器本体２の設定を切り替えて、切り替わった治療器本体２の設定を表示部２９に表示すると共にスピーカ３０を通じて使用者に音声にて告知する。
【００４０】
したがって、この温熱電位治療器１では、コントローラ３の表示部２９を見ることなく、治療器本体２の設定をスピーカ３０が発する音声によって容易に確認することが可能である。
【００４１】
また、この温熱電位治療器１では、コントローラ３の確認スイッチ２６が押圧操作されて、その操作に応じた信号が制御回路１８に入力されると、この制御回路１８の制御により治療器本体２の現在の設定をスピーカ３０を通じて使用者に音声にて告知する。
【００４２】
この場合も、コントローラ３の表示部２９を見ることなく、治療器本体２の設定をスピーカ３０が発する音声によって容易に確認することが可能である。
【００４３】
以上のように、この温熱電位治療器１では、治療器本体２の設定を確認する際の使い勝手を大幅に向上させることが可能であり、特に、高齢者や目が不自由といった使用者にとって、表示部２９を見て治療器本体２の設定を確認する必要がなくなることから、非常に便利である。
【００４４】
なお、上記温熱電位治療器１では、初期出荷状態において、コントローラ３の電源スイッチ１３を入れると、温度調整表示ランプ３４ａ，３４ｂの「弱」と、タイマー表示ランプ３５の「１ｈ」のみが点灯する。また、上記温熱電位治療器１では、一度使用すれば、最後に使用した設定が保存される仕組みとなっている。
【００４５】
また、上記温熱電位治療器１では、コントローラ３の電源スイッチ１３を入れたときに、スピーカ３０を通じて、「治療方法をお選び下さい。」といった告知を行う。なお、このような治療方法が選択されていない旨の告知は、スピーカ３０を通じて例えば３回連続で行う。
【００４６】
また、上記温熱電位治療器１では、電源スイッチ１３を入れた後に、コントローラ３の操作部２２を数分間操作しないまま放置すると、マット４上に寝た使用者がコントローラ３の表示部２９を眩しく感じない程度にＬＥＤの調光が抑えられる仕組みとなっている。
【図面の簡単な説明】
【００４７】
【図１】温熱電位治療器の外観を示す斜視図である。
【図２】治療器本体の内部構造を示す透視平面図である。
【図３】図２中線分Ｘ−Ｘ’による断面図である。
【図４】コントローラの外部構造を示す平面図である。
【図５】温熱電位治療器の構成を示すブロック図である。
【符号の説明】
【００４８】
１  温熱電位治療器、  ２  治療器本体、  ３  コントローラ、  ４  マット、  ５  発熱体ユニット、  ６  導電布、  １８  制御回路、  １９  発熱体、  ２０  感熱体、  ２１  高抵抗、  ２２  操作部、  ２９  表示部、  ３０  スピーカ、  ３５  確認スイッチ
【図１】
0003106741.tif 000003
【図２】
0003106741.tif 000004
【図３】
0003106741.tif 000005
【図４】
0003106741.tif 000006
【図５】
0003106741.tif 000007